(57)【要約】【課題】麦茶などの冷たい抽出飲料を１杯ごとに容易に作ることができるカップ入り飲料を提供する。【解決手段】カップ本体１と、このカップ本体１に収容可能であって所定量の飲料材料３２が袋状フィルタ３１に内包された飲料抽出袋３を備え、カップ本体１の内周面１１ａに、飲料材料３２を蒸らすための注湯量の目安となる第一の目盛線１４と、それより相対的に高い位置にあって、飲料材料３２から飲料成分を抽出させて１杯分の飲料とするための注水量の目安となる第二の目盛線１５が設けられている。このため、飲料抽出袋３を収容したカップ本体１に、第一の目盛線１４まで熱湯を注ぐことによって飲料抽出袋３内の飲料材料３２を蒸らし、飲料材料３２が十分に蒸れたら第二の目盛線１５まで水を注ぐことによって、飲料材料３２から経時的に飲料成分が抽出され、１杯分の適度な濃度の飲料を作ることができる。【選択図】図１
0003154695.tif 000002
【実用新案登録請求の範囲】
【請求項１】
カップ本体と、このカップ本体に収容可能であって所定量の飲料材料が内包された飲料抽出袋を備え、前記カップ本体の内周面に、前記飲料材料を蒸らすための注湯量の目安となる第一の目盛線と、それより相対的に高い位置にあって、飲料材料から飲料成分を抽出させて１杯分の飲料とするための注水量の目安となる第二の目盛線が設けられたことを特徴とするカップ入り飲料。
【請求項２】
カップ本体の開口端部に蓋が着脱可能に密嵌されることを特徴とする請求項１に記載のカップ入り飲料。
【請求項３】
カップ本体が紙製の使い捨てカップであることを特徴とする請求項１に記載のカップ入り飲料。
【考案の詳細な説明】
【技術分野】
【０００１】
本考案は、例えば冷たい麦茶や緑茶などを１杯ずつ作って飲むのに便利なカップ入り飲料に関する。
【背景技術】
【０００２】
従来、例えば家庭などで冷たい麦茶を作る場合は、麦茶の材料（煎った麦）を熱湯で煮出し、これを容器ごと冷水や氷水などで冷やしてから、冷蔵庫などに保存している。
【０００３】
しかし、この方法だと一度に大量の麦茶を作ってしまうことになるため、とりあえずカップ１杯あれば十分というような場合には不便である。そこで、下記の特許文献１のように、熱湯を注ぐだけで１杯分の麦茶を作ることのできるティーバッグも開発されているが、冷たい麦茶を作る場合、使うカップの大きさや、注湯・注水量や、作る手順などが利用者によってまちまちであった。
【先行技術文献】
【特許文献】
【０００４】
【特許文献１】特開２００５−３２５０５５号公報
【考案の概要】
【考案が解決しようとする課題】
【０００５】
本考案は、以上のような問題点に鑑みてなされたものであって、その技術的課題は、麦茶などの冷たい抽出飲料を１杯ごとに容易に作ることができるカップ入り飲料を提供することにある。
【課題を解決するための手段】
【０００６】
上述した技術的課題を有効に解決するための手段として、請求項１の考案に係るカップ入り飲料は、カップ本体と、このカップ本体に収容可能であって所定量の飲料材料が内包された飲料抽出袋を備え、前記カップ本体の内周面に、前記飲料材料を蒸らすための注湯量の目安となる第一の目盛線と、それより相対的に高い位置にあって、飲料材料から飲料成分を抽出させて１杯分の飲料とするための注水量の目安となる第二の目盛線が設けられたことを特徴とする。
【０００７】
また、請求項２の考案に係るカップ入り飲料は、請求項１に記載の構成において、カップ本体の開口端部に蓋が着脱可能に密嵌されることを特徴とする。
【０００８】
また、請求項３の考案に係るカップ入り飲料は、請求項１に記載の構成において、カップ本体が紙製の使い捨てカップであることを特徴とする。
【考案の効果】
【０００９】
本考案に係るカップ入り飲料によれば、飲料抽出袋を収容したカップ本体に、第一の目盛線まで熱湯を注ぐことによって前記飲料抽出袋内の飲料材料を蒸らし、飲料材料が十分に蒸れたら第二の目盛線まで水を注ぎ、そのまま適当な時間放置するか、あるいは適度に冷やすことにより、飲料材料から経時的に飲料成分が抽出されて１杯分の飲料ができる。このため、冷たい抽出飲料を１杯ごとに容易に作ることができ、しかも飲料容器を別途に用意することなく、カップ本体からそのまま飲むことができる。
【００１０】
この場合、飲料材料を熱湯で蒸らす時にカップ本体の開口端部に着脱可能な蓋を密嵌すれば、熱湯が急速に冷めたり高温の水蒸気が逃げたりするのを防止して、効率良く蒸らすことができる。
【００１１】
また、カップ本体を紙製の使い捨てカップとすれば、作った飲料を飲んだ後はカップ本体を廃却すれば良いので、後片付けも楽である。
【図面の簡単な説明】
【００１２】
【図１】本考案に係るカップ入り飲料の好ましい実施の形態において、カップ本体を一部破断した状態で示す分離斜視図である。
【考案を実施するための形態】
【００１３】
以下、本考案に係るカップ入り飲料を麦茶に適用した好ましい実施の形態について、図１を参照しながら説明する。
【００１４】
図１において、参照符号１はカップ本体、参照符号２は、このカップ本体１の開口端部に着脱可能に装着される蓋、参照符号３は、前記カップ本体１に収容可能な麦茶パックである。
【００１５】
このうちカップ本体１は、ポリエチレンフィルムなどで防水加工された紙によって成形された、いわゆる使い捨ての紙コップであって、円錐筒状の側部１１と、その小径側の端部に封着された底部１２と、側部１１の大径側の開口端部をカーリング加工したカーリング縁部１３とを有する。
【００１６】
蓋２は、例えばＰＥＴ（ポリエチレンテレフタレート）などの透明なプラスチックで成形されたものであって、円盤部２１と、その外周に沿って形成され、カップ本体１におけるカーリング縁部１３に弾性的に密嵌可能な嵌合縁２２からなる。
【００１７】
麦茶パック３は、薄い濾紙又は濾布からなる袋状フィルタ３１に、所定量の麦茶材料（麦を煎ったもの）３２が内包された、いわゆるティーバッグで、カップ本体１から取り出しやすいように、紙片３４のついた紐３３が繋着されている。なお、この麦茶パック３は請求項１に記載された飲料抽出袋に相当し、麦茶材料３２は請求項１に記載された飲料材料に相当する。
【００１８】
カップ本体１における側部１１の内周面１１ａには、麦茶パック３内の麦茶材料３２を熱湯に浸して蒸らすための注湯量の目安となる第一の目盛線１４と、それより相対的に高い位置にあって、麦茶材料３２から麦茶成分を抽出させて１杯分の麦茶とするための注水量の目安となる第二の目盛線１５が設けられている。これら第一及び第二の目盛線１４，１５は、溝あるいは突条からなるもの、あるいは印刷により形成したものとすることができ、また、円周方向へ有端又は連続したもの（無端）とすることができる。
【００１９】
また、カップ本体１は、麦茶パック３が収容されると共に蓋２が装着された状態で、不図示の透明フィルムによりシュリンク包装される。
【００２０】
以上のように構成されたカップ入り飲料において、冷たい麦茶を作る際には、まずシュリンクフィルムを剥がして蓋２を開き、麦茶パック３が収容されたカップ本体１に、液面レベルがほぼ第一の目盛線１４に達するように熱湯を注ぎ込んでから、蓋２をカップ本体１のカーリング縁部１３に密嵌する。これによって、熱湯がさめにくく、水蒸気も逃げにくくなるので、麦茶パック３内の麦茶材料３２を効率よく蒸らすことができる。
【００２１】
通常、注湯後１分ほどで、麦茶パック３内の麦茶材料３２が十分に蒸れるので、蓋２をカップ本体１から取り外し、常温の水又は冷水を液面レベルがほぼ第二の目盛線１５に達するように注ぎ込んでから、再び蓋２をカップ本体１のカーリング縁部１３に密嵌し、必要に応じて冷蔵庫で冷やす。カップ本体１に注ぎ込んだ水には、蒸された麦茶材料３２から麦茶の成分が袋状フィルタ３１を介して滲み出されるので、その濃度が経時的に高まって行く。
【００２２】
また、麦茶材料３２を蒸らすための注湯量は少量であるため、その後で注ぎ込んだ水はそれほど温かくならず、したがって１時間ほど冷蔵しておけば、十分に冷たく、かつ適当な濃度の麦茶が出来上がる。
【００２３】
出来上がった麦茶の飲用に際しては、蓋２をカップ本体１から取り外し、麦茶パック３を取り出してから飲めば良い。
【００２４】
カップ本体１や蓋２は使い捨てであるため、飲用後はこれらを廃却すれば良く、後片付けが楽である。またカップ本体１は紙製であり、蓋２はＰＥＴなどの再生可能なプラスチックからなるため、資源ごみとして供することもできる。
【００２５】
なお、上述した実施の形態は、本考案に係るカップ入り飲料を麦茶に適用したものであるが、本考案はこれに限定されるものではなく、例えば緑茶や紅茶、あるいはコーヒーや漢方薬など、麦茶以外の抽出飲料にも適用することができる。
【符号の説明】
【００２６】
１  カップ本体
１１  側部
１１ａ  内周面
１２  底部
１３  カーリング縁部（開口端部）
１４  第一の目盛線
１５  第二の目盛線
２  蓋
３  麦茶パック（飲料抽出袋）
３１  袋状フィルタ
３２  麦茶材料（飲料材料）
【図１】
0003154695.tif 000003